(57)【要約】【課題】  通気性を持たせると同時に、快適性を損なうことがないようにした羽根布団を提供することにある。【解決手段】  側地を矩形袋状に縫製しその空間部４内に羽毛８が充填された布団本体２と、布団本体の幅方向両側部分に空間部内と隔別されて布団本体の長手方向に沿って形成され厚さ方向に通気性を備えた一対の通気部１１を具備する。【選択図】      図４
2010035700.tif 000002
【特許請求の範囲】
【請求項１】
側地を矩形袋状に縫製しその空間部内に羽毛が充填された布団本体と、
この布団本体の幅方向両側部分に上記空間部と隔別されて上記布団本体の長手方向に沿って形成され厚さ方向に通気性を備えた一対の通気部と
を具備したことを特徴とする羽根布団。
【請求項２】
上記空間部は、上記布団本体の長手方向に対して交差する複数の分割空間部に分割されていて、
長手方向一端に位置する１番目の分割空間部は、側地をＵ字状に折り曲げてその一端と他端を長手方向の上記１番目の分割空間部に隣接する２番目の分割空間部を形成する側地に縫着して形成されていることを特徴とする請求項１記載の羽毛布団。
【請求項３】
上記一対の通気部は、上記布団本体の１番目の分割空間部を除く部分に形成されていて、これら一対の通気部の間隔は上記布団本体の長手方向中途部で最大で、上記布団本体の一端側と他端側に向かうにつれて徐々に狭くなるよう湾曲していることを特徴とする請求項２記載の羽毛布団。
【請求項４】
上記一対の通気部の間隔は、上記布団本体の長手方向中途部から利用者の脚部側となる長手方向他端側にゆくにつれて徐々に狭くなるよう湾曲していることを特徴とする請求項１記載の羽毛布団。
【請求項５】
側地を矩形袋状に縫製しその空間部内に羽毛が充填されたダブルサイズの布団本体と、
この布団本体の幅方向両側部分と中央部分に上記空間部と隔別されて上記布団本体の長手方向に沿って形成され上面と下面とに通気性部材を設けて厚さ方向の通気性を備えた一対の通気部と
を具備したことを特徴とする羽根布団。
【請求項６】
第１の掛け布団と、この第１の掛け布団の下側に設けられる第２の掛け布団とを有する組み合わせ掛け布団であって、
上記第２の掛け布団は請求項１又は請求項４のいずれかに記載された構成の羽毛布団であることを特徴とする組み合わせ布団。
【発明の詳細な説明】
【技術分野】
【０００１】
この発明は通気性を向上させるようにした羽根布団及ぶその羽根布団を肌掛け布団として用いる組み合わせ布団に関する。
【背景技術】
【０００２】
羽根布団は、充填材として用いられる羽毛がもつ優れた断熱性によって保温効果がたとえば綿などの他の充填材が用いられた布団に比べて格段に優れていることが知られている。充填材として羽毛が用いられた羽根布団は袋状に縫製された布団本体を有する。布団本体は、微細な羽毛が飛び出すのを防止するために、極細の繊維を高密度に織った、いわゆるダウンプルーフ加工された側地が用いられる。
【０００３】
ダウンプルーフ加工された側地は羽毛の飛び出しを防止する反面、羽毛以外の充填材が用いられた布団の側地に比べて通気性が著しく低い。そのため、羽毛の充填量が比較的少ない羽根布団であっても、使用する季節、たとえば晩春や初秋などのように比較的温度が高い季節は保温性が高すぎてむれるということがあり、利用者が快適に用いることができないということがある。
【０００４】
そこで、特許文献１に示されるように、羽根布団に通気性を持たせ、比較的温度が高い季節であっても快適に利用することができるようにした羽根布団が開発されている。すなわち、特許文献１には袋状に形成された側地の空間部内に羽毛などの布団綿を充填した掛け布団が示されている。
【０００５】
上記掛け布団は、使用者の腹部に相当する部位に設けられた布団体と、この布団体の上下方向の両側に設けられたメッシュ地と、これらのメッシュ地に取付けられた小布団体とによって構成されている。上記メッシュ地は使用者の胸部と脚部に対応する部位に、布団体の幅方向全長にわたって設けられている。
【特許文献１】実開平５−９３６８号公報
【発明の開示】
【発明が解決しようとする課題】
【０００６】
特許文献１に記載されているように、掛け布団にメッシュ地を設ければ、メッシュ地の部分が通気性を備えるから、利用者が掛け布団を掛けたときに内部の温度が上昇し過ぎて利用者に不快感を与えるのを防止することができる。
【０００７】
しかしながら、メッシュ地を掛け布団の幅方向全長にわたって設けるようにすると、そのメッシュ地が利用者の身体に対応する部分に位置することになる。つまり、メッシュ地は利用者の胸部と脚部の上方に位置することになる。
【０００８】
そのため、上記メッシュ地から外気が入り込んだり、掛け布団によって覆われた空間部内の空気が外部に流れ出るとき、その空気の流れが利用者の身体に沿って流れることになるから、たとえば早春や晩秋などのように比較的温度が低い時期には保温効果が低くなり、快適性が損なわれるということがある。
【０００９】
しかも、メッシュ地によって通気性を持たせた布団体は、冬季に単独で使用すると十分な保温性が得られないから、冬季には利用価値がないということもあった。
【００１０】
この発明は、むれの生じることのない通気性を備え、しかも比較的温度が低い早春や晩秋などの時期であっても、通気性を持たせることで保温性が大きく低下することがないようにした羽毛布団を提供することにある。
【００１１】
この発明は、羽毛布団に通気性を備えた場合、冬季などの寒い時期であってもその羽布団を有効に利用することができるようにした組み合わせ布団を提供することにある。
【課題を解決するための手段】
【００１２】
この発明は、側地を矩形袋状に縫製しその空間部内に羽毛が充填された布団本体と、
この布団本体の幅方向両側部分に上記空間部と隔別されて上記布団本体の長手方向に沿って形成され厚さ方向に通気性を備えた一対の通気部と
を具備したことを特徴とする羽根布団にある。
【００１３】
上記空間部は、上記布団本体の長手方向に対して交差する複数の分割空間部に分割されていて、
長手方向一端に位置する１番目の分割空間部は、側地をＵ字状に折り曲げてその一端と他端を長手方向の上記１番目の分割空間部に隣接する２番目の分割空間部を形成する側地に縫着して形成されていることが好ましい。
【００１４】
上記一対の通気部は、上記布団本体の１番目の分割空間部を除く部分に形成されていて、これら一対の通気部の間隔は上記布団本体の長手方向中途部で最大で、上記布団本体の一端側と他端側に向かうにつれて徐々に狭くなるよう湾曲していることが好ましい。
【００１５】
上記一対の通気部の間隔は、上記布団本体の長手方向中途部から利用者の脚部側となる長手方向他端側にゆくにつれて徐々に狭くなるよう湾曲していることが好ましい。
【００１６】
この発明は、側地を矩形袋状に縫製しその空間部内に羽毛が充填されたダブルサイズの布団本体と、
この布団本体の幅方向両側部分と中央部分に上記空間部と隔別されて上記布団本体の長手方向に沿って形成され上面と下面とに通気性部材を設けて厚さ方向の通気性を備えた一対の通気部と
を具備したことを特徴とする羽根布団にある。
【００１７】
この発明は、第１の掛け布団と、この第１の掛け布団の下側に設けられる第２の掛け布団とを有する組み合わせ掛け布団であって、
上記第２の掛け布団は請求項１又は請求項４のいずれかに記載された構成の羽毛布団であることを特徴とする組み合わせ布団にある。
【発明の効果】
【００１８】
この発明によれば、布団本体の幅方向両端部に長手方向に沿って通気部を形成したから、利用者が布団本体を掛けたときに、上記通気部が利用者の身体の幅方向両側に位置することになる。
【００１９】
そのため、布団本体によって覆われた空間部内の暖められた空気が利用者の身体の両側から離れた位置にある一対の通気部を通って外部に逃げるから、比較的温度が高い季節には内部の温度が上昇し過ぎるのを防止することができ、比較的温度が低い時期には保温効果が低くなるのを防止することができる。
【００２０】
利用者が寝返りを打ったとき、寝返り方向前方に位置する一方の通気部から布団本体によって覆われた内部の空気が押し出され、寝返り方向後方に位置する他方の通気部からは外気が導入されて空気の入れ替えが良好に行われる。そのとき、一対の通気部が布団本体の幅方向両側に設けられていることで、一方の通気部から流出する空気の流れや他方の通気部から導入される空気の流れが利用者の身体に沿って流れ難いから、利用者に不快感を与えることがない。
【００２１】
上記構成の羽根布団を、組み合わせ布団の肌掛け布団として用いれば、通気部が形成されていても、その通気部は組み合わせ布団の上掛け布団によって覆われるから、冬季の寒い時期に肌掛け布団として利用すれば、上掛け布団を厚くしなくとも、十分な保温性を得ることができる。
【発明を実施するための最良の形態】
【００２２】
以下、この発明の実施の形態を図面を参照しながら説明する。  
図１乃至図７はこの発明の第１の実施の形態を示し、図１は羽根布団１の平面図、図２は羽根布団１の長手方向に沿う縦断面図である。上記羽根布団１は平面形状が矩形状の布団本体２を備えている。この布団本体２は、ダウンプルーフ加工された側地が袋状に縫製されている。
【００２３】
図２に示すように、側地を袋状に縫製することで、上記布団本体２は空間部４を備えている。この空間部４は、上記布団本体２の幅方向に沿って設けられた帯状の横仕切り布５によって長手方向に対して複数の分割空間部、この実施の形態では第１乃至第５の５つの分割空間部４ａ〜４ｅに分割されている。各分割空間部４ａ〜４ｅには充填材としての羽毛８が充填されている。
【００２４】
上記布団本体２の上側、つまり利用者Ｕ（図５乃至図７に示す）の肩の部分を覆う第１の分割空間部４ａは、図３に示すように所定長さに分割された１枚の側地３ａをＵ字状に折り曲げ、その一端と他端を第２の分割空間部４ｂを形成する側地に横仕切り布５とともに一体的に逢着して形成されている。
【００２５】
それによって、上記第１の分割空間部４ａの先端部、つまり布団本体２を利用者Ｕが掛けたときに利用者Ｕの顎や首に当たる部分に縫い目がないから、利用者に不快感を与えるということがない。
【００２６】
しかも、布地３ａをＵ字状に折り曲げて第１の分割空間部４ａを形成したことで、この第１の分割空間部４ａの先端部が滑らかな湾曲形状となってその第１の分割空間部４ａの容積を大きくすることができるから、第１の分割空間部４ａに羽毛８を十分な量で充填することができる。
【００２７】
なお、第１の分割空間部４ａは、図示しない仕切り布地によって布団本体２の幅方向に対して３つの空間部に隔別されている。それによって、第１の分割空間部４ａに充填された羽毛８が幅方向に片寄るのが防止されている。
【００２８】
上記布団本体２の第１の分割空間部４ａを除く第２乃至第５の分割空間部４ｂ〜４ｅに対応する部分には、図１に示すように上記布団本体２の幅方向の両側にそれぞれ通気部１１が形成されている。この通気部１１は、図１と図４に示すように布団本体２を幅方向の中央部分２ａと２つの端部分２ｂとの３つの部分に分断していて、開放したそれぞれの端面、つまり中央部分２ａの左右一対の端面と端部分２ｂ一端面はこれら端面に逢着された縦仕切り布１２によって閉塞されている。
【００２９】
上記中央部分２ａの幅方向の両端の上下端にはそれぞれ通気性部材１４の幅方向一端が縫着され、他端は上記端部分２ｂが厚さ方向の上下端に縫着されている。つまり、上記中央部分２ａと一対の端部分２ｂは上記通気性部材１４によって一体的に連結されている。
【００３０】
上記通気性部材１４としては、メッシュや目の粗い布地などの通気性を備えた帯状の布地が用いられている。それによって、布団本体２の幅方向両側に形成された上記通気部１１は厚さ方向に対して通気性を備えている。
【００３１】
上記一対の通気部１１を形成するために用いられた上記縦仕切り布１２は第２乃至第５の分割空間部４ｂ〜４ｅをそれぞれ布団本体２の幅方向に３分割している。つまり、布団本体２を中央部分２ａと一対の端部分２ｂとに分割している。それによって、第２乃至第５の分割空間部４ｂ〜４ｅに充填された羽毛８は、これらの分割空間部４ｂ〜４ｅ内で幅方向にずれ動いて片寄るのが防止されている。
【００３２】
上記一対の通気部１１は、図１に示すように利用者Ｕの身体の両側の形状に対応するようそれぞれが布団本体２の幅方向外側に向かって凸状に湾曲した曲線状に形成されている。つまり、一対の通気部１１の間隔は、布団本体２の長手方向の中央部で最大の間隔Ｗ１となり、長手方向両端にゆくにつれて徐々に間隔が狭くなるよう湾曲している。なお、布団本体２の長手方向上側となる第２の分割空間部４ｂの箇所での間隔はＷ２で、下側となる第５の分割空間部４ｅでの間隔はＷ３であって、これらの間隔は利用者Ｕの身体に対応するようＷ２＞Ｗ３となっている。
【００３３】
さらに、湾曲形成された一対の通気部１１の間隔は、図５に示すように羽根布団１を利用者Ｕが掛けたときに、上記通気部１１が利用者Ｕの身体の幅方向の外側に位置するよう設定されている。すなわち、一対の通気部１１は布団本体２を利用者Ｕが掛けたとき、利用者Ｕの身体に対向する位置にならないよう掛けることができる間隔及び形状に設定されている。
【００３４】
このような構成の羽根布団１を、図５に示すように敷き布団１６に仰臥した利用者Ｕに掛けたとき、羽根布団１によって覆われた空間Ｓ内の温度が上昇すると、温まった空間Ｓ内の空気は上昇方向に流れ、一対の通気部１１を通って外部に流出する。
【００３５】
それによって、上記空間Ｓ内の温度が上昇し過ぎるのを防止することができるから、利用者Ｕはむれを感じるようなことなく、快適な状態で就寝することが可能となる。
【００３６】
一対の通気部１１は利用者Ｕの身体の幅方向両側の外れた部位に位置するよう、羽根布団１の幅方向の両端に形成されている。そのため、利用者Ｕは一対の通気部１１が身体から外れた位置になるように羽根布団１を掛けることができるから、通気部１１を流れる空気の影響を直接的に受けること、つまり利用者Ｕの身体に沿って空気が流れることがないから、寒さを感じることがない。
【００３７】
それによって、晩春や早秋などの比較的温度が高くなる季節には通気部１１の通気性によって利用者Ｕの身体がむれるなどのことを防止することができ、早春や晩秋などのような比較的温度が低くなる季節には保温性を確保することができる。
【００３８】
羽根布団１を掛けた利用者Ｕが図６に示すように寝返りを打ったとき、寝返り方向の前方に位置する空間部Ｓ１と後方に位置する空間部Ｓ２はそれぞれ空間部の容積が増減する。たとえば、寝返り方向の前方に位置する空間部Ｓ１は容積が減少し、その空間部Ｓ１内の空気が矢示Ａで示すように羽根布団１の内部から外部に流れ出る。寝返り方向後方に位置する空間部Ｓ２は容積が増大し、その空間部内には矢印Ｂで示すように外気が導入される。
【００３９】
それによって、羽根布団１によって覆われた空間部内の空気が外気と入れ替えられるから、羽根布団１内部の温度や湿度を快適に維持することができる。利用者Ｕが寝返りを打ったときに一対の通気部１１に空気が流れても、その空気の流れが利用者Ｕの身体に直接当たることがないから、その場合も利用者Ｕに不快感を与えることが防止される。
【００４０】
一対の通気部１１は、図１に示すように利用者Ｕの上半身から脚部に至る幅寸法の変化に対応して、布団本体２の幅方向外方に凸状に湾曲した形状に形成されている。そのため、一対の通気部１１は、利用者Ｕの上半身から脚部にわたってほぼ同じ間隔で位置することになるから、一対の通気部１１を流通する空気から利用者Ｕが受ける条件は身体のどの部分においてもほぼ同じになる。
【００４１】
つまり、一対の通気部１１が利用者の身体上に直接位置することがないばかりか、全長にわたって利用者の両側にほぼ同じ間隔で位置することになるから、利用者Ｕが寝返りを打ったとき、胸部から脚部までのどの部分においても、一対の通気部１１における外気の流れがほぼ同じになる。
【００４２】
それによって、身体の一部分だけが他の部分に比べてむれたり、寒く感じるなどのことが防止される。
【００４３】
羽根布団１に通気部１１を形成すると、たとえば冬季などのように温度が低い季節には寒さを感じることがある。そこで、そのような時期には、上記羽根布団１を図７に示す組み合わせ布団２１の下側に位置する第２の掛け布団２２として利用する。組み合わせ布団２１は第１の掛け布団２３と、この第１の掛け布団２３の下側に、たとえばボタンなどによって着脱可能に連結される上記第２の掛け布団２２（羽根布団１）によって構成されている。
【００４４】
そのため、上記羽根布団１を組み合わせ布団２１の第２の掛け布団２２として利用すれば、羽根布団１に形成された通気部１１が覆われるから、冬季などの温度が低い時期であっても、通気部１１を備えた羽根布団１によって温かさが損なわれることなく、利用することができる。
【００４５】
しかも、冬季には利用することができない、通気部１１が形成された羽根布団１を有効に利用することができるばかりか、羽根布団１（第２の掛け布団２２）の通気部１１から湿気が抜けるから、羽根布団１の内部に湿気がこもるのを防止することもできる。
【００４６】
図８はこの発明の第２の実施の形態を示す羽毛布団１Ａの平面図である。この実施の形態の羽毛布団１Ａは第１の実施の形態の羽毛布団１とほぼ同じであるが、第２乃至第５の分割空間部７ｂ〜７ｅを形成する横仕切り布５が一対の通気部１１の外側において布団本体２の上下方向に対して所定の角度で屈曲して設けられている。
【００４７】
すなわち、一対の通気部１１が布団本体２の幅方向外方に向かって凸状に湾曲しているため、複数の横仕切り布５を図１に示すように布団本体２の幅方向に沿って平行に設けると、第２乃至第５の分割空間部７ｂ〜７ｅの一対の通気部１１の外側に位置する部分の空間の大きさに差が生じてしまう。
【００４８】
そこで、図８に示すように第１の分割空間部７ａと第２の分割空間部７ｂを区画する横仕切り布５を布団本体２の長手方向下方に向かって凸状に湾曲させるとともに、第２の分割空間部７ｂと第３の分割空間部７ｃを区画する横仕切り布５の通気部１１の外側に位置する部分を布団本体２の上方に向けて屈曲させ、第３の分割空間部７ｃと第４の分割空間部７ｄを区画する部分を下方に向けて屈曲させ、さらに第４の分割空間部７ｄと第５の分割空間部７ｅを区画する部分を下方に向けて屈曲させる。
【００４９】
それによって、第２乃至第５の分割空間部７ｂ〜７ｅの一対の通気部１１の外側に位置する部分の空間４ｂ−１〜４ｅ−１の大きさをほぼ同じにすることができるから、それらの空間４ｂ−１〜４ｅ−１に充填される羽根８の量もほぼ同じにすることができる。各空間４ｂ−１〜４ｅ−１に充填される羽毛８の量がほぼ同じになれば、羽根布団１Ａがバランスの取れた外観を呈することになる。
【００５０】
図９はこの発明の第３の実施の形態を示す羽根布団１Ｂの平面図である。この羽根布団１Ｂは幅寸法がダブルサイズであって、幅方向外方に向かって凸状に湾曲した一対の通気部１１だけでなく、これら一対の通気部１１の間に直線状の通気部１１Ａが設けられている。
【００５１】
羽根布団１Ｂがダブルサイズであるから、この羽根布団１Ｂは横方向に並んだ二人の利用者に掛けられる。一方の利用者は湾曲した一方の通気部１１と直線状の通気部１１Ａの間に位置し、他方の利用者は湾曲した他方の通気部１１と直線状の通気部１１Ａの間に位置することになる。
【００５２】
それによって、第１、第２の実施の形態と同様、快適な通気性と保温性を得ることが可能となる。この第３の実施の形態においても、第２の実施の形態と同様、第２乃至第５の分割空間部７ｂ〜７ｅの一対の通気部１１の外側に位置する部分の空間の大きさに差が生じないよう、横仕切り布５が布団本体２の上下方向に対して所定の角度で屈曲されている。
【００５３】
また、第３の実施の形態に示された羽根布団１Ｂを、組み合わせ布団の第２の掛け布団として利用することも可能であること、勿論である。
【００５４】
上記第１乃至第３の実施の形態では一対の通気部を布団本体の長手方向中途部で間隔が最大となり、一端側と他端側にゆくにつれてその間隔が徐々に狭くなるよう湾曲させたが、利用者の上半身側となる布団本体の長手方向一端部から中途部に至る部分の間隔は同じにし、中途部から利用者の脚部側となる長手方向他端側にゆくにつれて徐々に狭くなるよう湾曲させるようにしてもよい。
【００５５】
また、一対の通気部は布団本体の第１の分割空間部に対応する部分を除く部分に形成したが、第１の分割空間部を形成する部分にも設けるようにしてもよい。つまり、布団本体の長手方向全長にわたって設けてもよい。
【００５６】
さらに、通気部は縦仕切り布で分割された布団本体の中央部分と両側部分の厚さ方向上面側と下面側をそれぞれ通気性部材によって連結して形成したが、布団本体の中央部分と両側部分を１枚の通気性部材によって連結して通気部を形成するようにしてもよい。
【図面の簡単な説明】
【００５７】
【図１】この発明の第１の実施の形態を示す羽根布団の平面図。
【図２】図１に示す羽根布団の長手方向に沿う断面図。
【図３】羽根布団の第１の分割空間部の部分を示す拡大断面図。
【図４】羽根布団の通気部が形成された部分の拡大断面図。
【図５】利用者が羽根布団を掛けて仰臥した状態を示す説明図。
【図６】羽根布団を掛けた利用者が寝返りを打ったときの説明図。
【図７】羽根布団を組み合わせ布団の肌掛け布団として利用したときの説明図。
【図８】この発明の第２の実施の形態を示す羽根布団の平面図。
【図９】この発明の第３の実施の形態を示す羽根布団の平面図。
【符号の説明】
【００５８】
２…布団本体、３…側地、４…空間部、４ａ〜４ｅ…第１乃至第５の分割空間部、５…横仕切り布地、８…羽毛、１１…通気部、１２…縦仕切り布、１４…通気性部材。
【図１】
2010035700.tif 000003
【図２】
2010035700.tif 000004
【図３】
2010035700.tif 000005
【図４】
2010035700.tif 000006
【図５】
2010035700.tif 000007
【図６】
2010035700.tif 000008
【図７】
2010035700.tif 000009
【図８】
2010035700.tif 000010
【図９】
2010035700.tif 000011